【手続補正書】
【提出日】平成16年10月15日(2004.10.15)
【手続補正１】
【補正対象書類名】明細書
【補正対象項目名】発明の詳細な説明
【補正方法】変更
【補正の内容】
【発明の詳細な説明】
【０００１】
【発明の属する技術分野】
本発明は、生理用ナプキン、パンティーライナー、おりものシート、失禁パットなど体液を受け止め吸収する吸収性物品とその包装構造に関する。
【０００２】
【従来の技術】
たとえば、生理用ナプキンにおいて、ナプキン本体の裏面（使用面に対した反対側の面）に予め設けられた粘着剤層を利用して下着の内面に止め付けることでもズレ止めを図ることが知られている。
【０００３】
また、生理用ナプキンにおいて、本体部分からそれぞれ側方に張り出す張り出し部、たとえばいわゆるウイングフラップを有するものは知られている。
【０００４】
この種のものは、両側のウイングフラップを下着（たとえばパンティー）のクロッチ部を巻き込み、下着の外面に対してウイングフラップを予め設けられた粘着剤層を利用して止め付けることで、ナプキンのズレ止めを図るものである。
【０００５】
一方、ナプキン本体の裏面でなく、使用面に粘着剤層を形成することは、特表２０００−５０５６９７号及び同５０５６９８号（以下これらを「先行技術」という。）により知られている。しかし、先行技術には、具体的に粘着剤層を使用面のいかなる部位に設けるかについて教示はない。
【０００６】
【発明が解決しようとする課題】
しかし、先行技術は、単純に生理用ナプキンを肌に宛がうだけで装着できる点においておおきな利点があること、その反面、使用面の粘着剤を例えば経血の排液部位に適用すると、経血の吸収性が阻害されるとともに、陰毛が多くある部分に対しては粘着剤による接着性が十分でないことが知見された。
【０００７】
他方、従来構造のウイングフラップのズレ止め効果は、活発な運動に伴う下着の「よれ」によりズレ止めに対してはさほど有効ではないことが知見された。
【０００８】
また、ナプキンの側縁から経血の横漏れを生じた場合、ウイングフラップがクロッチ部の巻き込み状態にあると、経血がクロッチ部に付着することは防止できるが、脚部の付け根付近や、下着の外にある衣服への付着を防止するには不十分である。
【０００９】
したがって、本発明の主たる課題は、経血の吸収性が阻害されることを解消するとともに、肌に対して十分な粘着剤による接着性を発揮し、ズレを防止できる吸収性物品を提供することにある。
【００１０】
他の課題は、前記吸収性物品を好適に包装できる包装構造を提供することにある。
【００１１】
さらに別の課題は、以下の説明により推測できよう。
【００１２】
【課題を解決するための手段】
＜請求項１記載の発明＞
本体部からそれぞれ側方に張り出す張り出し部を有する吸収性物品であって、前記本体部の使用面に第１粘着部を有し、かつ、前記張り出し部において、これを展開状態としたとき肌に対向する使用面側に、第２粘着部を有することを特徴とする吸収性物品。
【００１３】
（作用効果）
本体部分の使用面に第１粘着部があり、その第１粘着部が肌に当たることにより吸収性物品のズレ止めを図ることができる。
さらに、吸収性物品に張り出し部が形成され、その張り出し部において、これを展開状態としたとき肌に対向する使用面（体液を受ける面）側に第２粘着部を有することで、たとえば、後述のように、粘着部を股間大腿部付け根内股部の肌に、あるいは内股部の前側の肌や臀部側の肌に、接着させて吸収性物品のズレ止めを図ることができる。したがって、第１粘着部及び第２粘着部の両者のズレ止め効果が発揮される。
また、体液が本体部分側から張り出し部に向かい横漏れしようとするとき、張り出し部が肌に対向して存在することで、張り出し部への移行を抑制することができるとともに、仮に移行したとしても、張り出し部の側縁までの移行は阻止される、あるいは張り出し部が吸収性を有するものであれば、吸収により側縁までの移行は阻止されるなどして、体液の衣服への漏れが防止される。
【００１４】
＜請求項２記載の発明＞
前記本体部の使用面の前後端部のみに前記第１粘着部がある請求項１記載の吸収性物品。
【００１５】
（作用効果）
第１粘着部が本体部の前後端部の使用面にあるので、ズレを防止できる。しかも第１粘着部は前後端部の使用面のみにあるので、中央部での経血の吸収性が阻害されることはない。さらに、前後端部は陰毛も少なく、また前部に陰毛があるとしても多くは寝ている状態にあるから、肌に対して十分な粘着剤による接着性を発揮し、ズレを防止できる。
【００１６】
＜請求項３記載の発明＞
前記本体部の使用面の少なくとも両側部に前記第１粘着部がある請求項１記載の吸収性物品。
【００１７】
（作用効果）
本体部の少なくとも両側部の使用面に第１粘着部があるので、特に横方向のズレを防止できる。
【００１８】
＜請求項４記載の発明＞
本体部からそれぞれ側方に張り出す張り出し部を有し、前記本体部の使用面に第１粘着部を有し、かつ、前記張り出し部において、これを展開状態としたとき肌に対向する使用面側に、第２粘着部を有する吸収性物品の包装構造であって、
各粘着部に対して剥離自在な被覆材が前記使用面に対向して配置され、この被覆材によって各粘着部および吸収性物品が被覆されていることを特徴とする吸収性物品の包装構造。
【００１９】
（作用効果）
かかる特有の構造をもった上記吸収性物品において、使用面の第１粘着部及び張り出し部の第２粘着部を被覆材により被覆した状態で包装することで、使用時まで粘着性を阻害させない状態を維持できる。特に使用面を被覆材が覆っているので、包装を解いて吸収性物品を局所に当てがうまでの間、手が使用面を触れることがなくなり、きわめて衛生的なものとなる。
【００２０】
＜請求項５記載の発明＞
前記被覆材によって各粘着部および吸収性物品が被覆されている状態で、前記張り出し部または張り出し部と本体部の側部とが本体部の裏面側に折り畳まれている請求項４に記載の吸収性物品の包装構造。
【００２１】
（作用効果）
請求項４記載の効果に加えて、張り出し部は本体部分の裏面側に折り畳まれた状態で包装がなされるので、包装形態がコンパクトとなる。
【００２２】
＜請求項６記載の発明＞
前記被覆材によって各粘着部および吸収性物品が被覆されている状態で全体が前後方向に折り畳まれ、前記被覆材の前後が重なって前記吸収性物品を包んでいる請求項４または５に記載の吸収性物品の包装構造。
【００２３】
（作用効果）
使用面に対向して被覆材をもって、吸収性物品を被覆した状態で全体が前後方向に折り畳まれ、前記被覆材の前後が重なって前記吸収性物品を包んでいるので、吸収性物品を衛生的に包装できるとともに、全体が前後方向に折り畳まれることで、コンパクト化を図ることができる。さらに、被覆材によって吸収性物品全体が被覆されるため、使用者は包装を解くまでは吸収性物品に触れることがなく清潔なものとなる。
【００２４】
＜請求項７記載の発明＞
吸収性物品は前記被覆材とともに前後方向に折り畳まれ、その折り畳み状態で前記被覆材の一方の端部と他の部分とが仮止めされている請求項４〜６の何れか１項に記載の吸収性物品の包装構造。
【００２５】
（作用効果）
仮止めされることにより、意図せず包装が剥がれることが少なくなり、安定した物流、管理が可能になるとともに、個別包装（個装）されるので極めて清潔なものとなる。
【００２６】
＜請求項８記載の発明＞
本体部からそれぞれ側方に張り出す張り出し部を有し、前記本体部の使用面に第１粘着部を有し、かつ、前記張り出し部において、これを展開状態としたとき肌に対向する使用面側に、第２粘着部を有する吸収性物品の包装構造であって、
使用面に対向して配置された各粘着部に対して剥離自在な粘着部被覆材によって各粘着部が被覆された状態で張り出し部が使用面側に折り畳まれ、この張り出し部が折り畳まれた状態で前記粘着部被覆材の外側に配された前記本体部を被覆する外装材によって包装がなされていることを特徴とする吸収性物品の包装構造。
【００２７】
（作用効果）
使用面の第１粘着部及び張り出し部の第２粘着部を粘着部被覆材により被覆した状態で本体部を外装材で包装したので、使用時まで粘着性を阻害させない状態を維持できるとともに、包装を解いて吸収性物品を局所に当てがうまでの間、手が使用面を触れることがなくなり、きわめて衛生的なものとなる。また、実質的に吸収性物品の包装を行う外装材と粘着部の保護する粘着部被覆材とに分けたので、それらに必要な特有の素材を使用できる。特に、外装材は粘着部に触れることがないので、コスト高となる離型処理等をして各粘着部に対して剥離自在としたものを使用する必要がなくなり経済的である。また、張り出し部を使用面側に折り畳むこととしたのでコンパクトに包装できる。
【００２８】
＜請求項９記載の発明＞
前記外装材と前記粘着部被覆材とが、前記粘着部被覆材と各粘着部との剥離強度よりも大きい剥離強度をもって、接着されている請求項８記載の吸収性物品の包装構造。
【００２９】
（作用効果）
外装材と粘着部被覆材とが接着されているので外装材を引き剥がすことにより、粘着部被覆材をも各粘着部から剥がすことができ、包装の展開作業によって、一気に各粘着部が露出した吸収性物品を取り出すことができ、使用者にとってきわめて便利なものとなる。
【００３０】
＜請求項１０記載の発明＞
前記粘着部被覆材が、第１粘着部を被覆する前記第１粘着部に対して剥離自在な第１粘着部被覆材と、第２粘着部を被覆する前記第２粘着部に対して剥離自在な第２粘着部被覆材と、を有する請求項８または９記載の吸収性物品の包装構造。
【００３１】
（作用効果）
各々の粘着部の形状および材質に適した特有の形状および材質の各粘着部被覆材とすることができる。
【００３２】
＜請求項１１記載の発明＞
前記第１粘着部被覆材と第２粘着部被覆材とが、接着されている請求項１０記載の吸収性物品の包装構造。
【００３３】
（作用効果）
前記第１粘着部被覆材と第２粘着部被覆材とが接着されているので、かかる部分の浮き上がりが防止される。
【００３４】
＜請求項１２記載の発明＞
前記外装材により本体部が被覆された状態で全体が前後方向に折り畳まれ、その折り畳み状態で前後が重なって前記吸収性物品を包んでいる請求項８〜１１のいずれか１項に記載の吸収性物品の包装構造。
【００３５】
（作用効果）
使用面に対向して外装材をもって、実質的に体液の吸収を行う本体部を被覆した状態で全体が前後方向に折り畳まれ、前記外装材の前後が重なって前記吸収性物品を包んでいるので、吸収性物品を衛生的に包装できるとともに、全体が前後方向に折り畳まれることで、コンパクト化を図ることができる。
【００３６】
＜請求項１３記載の発明＞
吸収性物品は前記外装材とともに前後方向に折り畳まれ、その折り畳み状態で前記外装材の一方の端部と他の部分とが仮止めされている請求項８〜１２の何れか１項に記載の吸収性物品の包装構造。
【００３７】
（作用効果）
仮止めされることにより、意図せず包装が剥がれることが少なくなり、安定した物流、管理が可能になるとともに、個別包装（個装）されるので極めて清潔なものとなる。
【００３８】
＜請求項１４記載の発明＞
本体部からそれぞれ側方に張り出す張り出し部を有し、前記本体部の使用面に第１粘着部を有し、かつ、前記張り出し部において、これを展開状態としたとき肌に対向する使用面側に、第２粘着部を有する吸収性物品の包装構造であって、
前記張り出し部が裏面側に折り畳まれた状態で、第２粘着部に対して剥離自在な第２粘着部被覆材が前記本体部の裏面に対向して配置され、第１粘着部に対して剥離自在であってかつ前記本体部の幅より幅広の外装材が本体部の使用面に対向して配置され、各粘着部および本体部が被覆されていることを特徴とする吸収性物品の包装構造。
【００３９】
（作用効果）
張り出し部の第２粘着部を第２粘着部被覆材で被覆し、使用面の第１粘着部及び本体部を第１粘着部に対して剥離自在な外装材で被覆したので、使用時まで各粘着部の粘着性を阻害させない状態を維持できるとともに、包装を解いて吸収性物品を局所に当てがうまでの間、手が使用面を触れることがなくなり、きわめて衛生的なものとなる。また、張り出し部を裏面側に折り畳むこととしたのでコンパクトに包装できる。さらに、本請求項の包装構造は、特に吸収性物品を装着する際に優れた効果を奏する。具体的には、外装材を引き剥がして使用面のみを露出させ、第１粘着部によって使用者の適当な位置に当該吸収性物品を貼り付けた後、第２粘着部被覆材を引き剥がして第２粘着部を露出させ、これを吸収性物品を固定するのに特に適した箇所に貼り付けるといった装着手順を踏むことが可能になる。これにより、使用時に第２粘着部が意図しない部分に粘着して、吸収性物品の装着を妨げるといった事故がなくなる。
【００４０】
＜請求項１５記載の発明＞
本体部からそれぞれ側方に張り出す張り出し部を有し、前記本体部の使用面に第１粘着部を有し、かつ、前記張り出し部において、これを展開状態としたとき肌に対向する使用面側に、第２粘着部を有する吸収性物品の包装構造であって、
前記張り出し部が裏面側に折り畳まれた状態で第２粘着部に対して剥離自在な第２粘着部被覆材が前記本体部の裏面に対向して配置され、かつ、第１粘着部に対して剥離自在な第１粘着部被覆材が使用面に対向して配置され、さらに前記本体部の幅より幅広の外装材が前記第１粘着部被覆材の外側に配置されて、各粘着部および本体部が被覆されているとともに、
前記第１粘着部被覆材と前記外装材とが、前記第１粘着部と第１粘着部被覆材との剥離強度よりも大きい剥離強度を持って接着されていることを特徴とする吸収性物品の包装構造。
【００４１】
（作用効果）
実質的に吸収性物品の包装を行う外装材と粘着部を保護する第１粘着部被覆材と第２粘着部被覆材とに分けたので、それらに必要な特有の素材を使用できる。さらに、使用面側における第１粘着部被覆材と外装材とが接着されているので、外装材を引き剥がす際に、第１粘着部被覆材をも引き剥がすことができ、使用者は簡便に使用面を露出させることができる。
【００４２】
＜請求項１６記載の発明＞
前記外装材により吸収性物品が被覆された状態で全体が前後方向に折り畳まれ、その折り畳み状態で前記外装材の前後が重なって前記吸収性物品を包んでいる請求項１４または１５に記載の吸収性物品の包装構造。
【００４３】
（作用効果）
使用面に対向した外装材をもって、実質的に体液の吸収を行う本体部を被覆した状態で全体が前後方向に折り畳まれ、前記外装材の前後が重なって前記吸収性物品を包んでいるので、吸収性物品を衛生的に包装できるとともに、全体が前後方向に折り畳まれることで、コンパクト化を図ることができる。
【００４４】
＜請求項１７記載の発明＞
前記吸収性物品の前後端部の一方の端部が前記外装材とともに裏面側に折り返されているとともに、その折り返し部分における前記外装材の端部が前記第２粘着部被覆材の外面に対して、前記第２粘着部被覆材と第２粘着部との剥離強度よりも大きい剥離強度をもって接着されている請求項１６記載の吸収性物品の包装構造。
【００４５】
（作用効果）
吸収性物品を展開すると同時に包装を解くことができ、さらに、この包装が解かれるときに、同時に各粘着部が露出するので、使用者は、極めて簡便に包装をといて使用状態にすることができる。
【００４６】
＜請求項１８記載の発明＞
前記吸収性物品の前後端部の一方の端部が前記外装材とともに裏面側に折り返され、この折り返し部分の外面が前記第２粘着部に当接するようにさらに折り返され、その当接部分の一部または全部において前記第２粘着部と前記外装材とが前記第２粘着部被覆材と第２粘着部との剥離強度よりも大きい剥離強度をもって接着されている請求項１６記載の吸収性物品の包装構造。
【００４７】
（作用効果）
吸収性物品を展開すると同時に包装を解くことができ、さらに、この包装が解かれるときに、同時に各粘着部が露出するので、使用者は、極めて簡便に包装をといて使用状態にすることができる。また、一方の端部が少なくとも二回折り返されるのでよりコンパクトになる。
【００４８】
＜請求項１９記載の発明＞
吸収性物品は前記外装材とともに前後方向に折り畳まれ、その折り畳み状態で前記外装材の一方の端部または折り返し端部他の部分とが仮止めされている請求項１４〜１８の何れか１項に記載の吸収性物品の包装構造。
【００４９】
（作用効果）
仮止めされることにより、意図せず包装が剥がれることが少なくなり、安定した物流、管理が可能になるとともに、個別包装（個装）されるので極めて清潔なものとなる。
【００５０】
【発明の実施の形態】
以下本発明の実施の形態を図面を参照しながらさらに詳説する。なお、本発明において、本体部分（体液の吸収を主として担い、局所に当てられる部分）からそれぞれ側方に張り出す張り出し部を有する限り、吸収性物品自体の形状に関して限定されない。
【００５１】
『第１の実施の形態（請求項１〜５及び７に関連）』
図１〜図８に示す第１の実施の形態において、代表例が生理用ナプキンである吸収性物品Ｘ１は、展開状態においてほぼ小判状の本体部Ｂからそれぞれ側方に張り出すウィング状の張り出し部Ｗ，Ｗを有する。前記吸収性物品Ｘ１は、肌に当たる面としての使用面側に体液透過性の表面シート１と体液不透過性裏面シート２との間に吸収要素が介在されたものであり、張り出し部Ｗ，Ｗは前記表面シート１と体液不透過性裏面シート２とが前記吸収要素の長手方向のほぼ中央部から両側に張り出すように延在して形成されている。前記吸収要素は、使用面側から裏面側にかけて、第１シート３、第２シート４、第３シート５、第４シート６を有する。第１シート３及び第２シート４は透液性材料からなる。第３シート５は、高分子吸収樹脂を包含する高吸収能を発揮するもので、第２シート４が図２に示すように額巻きしている。第４シート６は、体液不透過性のたとえばやや厚手のプラスチックシートからなる。この種の吸収要素を表面シート１及び裏面シート２が内包し、それらの周囲部が前記張り出し部Ｗ，Ｗも含めたとえば熱シールなどによりシールされている。また、表面シート１と第１シート３とは、図１に示されるように、表面側からエンボスｅにより部分的に一体化されて、吸収性を高めている。
【００５２】
さて、本発明に係る少なくとも吸収性物品Ｘ１の使用面には、本体部に第１粘着部１０，１０が、前記張り出し部Ｗ，Ｗに第２粘着部２０，２０が露出して形成されている。図１に示される吸収性物品Ｘ１は、前記第１粘着部１０，１０が本体部Ｂの前後端部に設けられている。また、使用面側の第１粘着部１０，１０および第２粘着部２０，２０は、ホットメルト接着剤からなるもの、感圧粘着剤からなるものなどであり、人体の肌に対して接着性を有するもの全般を意味する。実施の形態の第１粘着部１０および第２粘着部２０は、層状態で形成されている。また、第１粘着部１０の位置は、フラップ部分より吸収要素がある位置が好適である。
【００５３】
さて、かかる吸収性物品Ｘ１の包装に際し被覆材が用意される。図示例における被覆材は、片面が離型性を有する薄手のプラスチックシートからなる剥離兼用外装シート３１であり、吸収性物品Ｘ１の幅より広幅で、好適には図示のように吸収性物品Ｘ１の長手方向長さより長いものである。また、剥離兼用外装シート３１の長手方向端部には、非離型性面に基部がホットメルト接着剤などにより固定され、自由端部に粘着剤層６０ａを有する止着テープ６０が固定され、止着テープ６０の先端部は折り返されて摘み部とされている。
【００５４】
図３及び図４に示すように、剥離兼用外装シート３１の離型性面に、吸収性物品Ｘ１の使用面が当てられ、吸収性物品および各粘着部１０，１０，２０，２０が剥離兼用外装シート３１により被覆される。次いで、図５に示すように、止着テープ６０の取り付け側と反対側において、剥離兼用外装シート３１及び吸収性物品Ｘ１を、その裏面側に折り、その後、止着テープ６０の取り付け側を折り、先に折った面の外面に重ね、図６に示すように、止着テープ６０により粘着剤層６０ａを介して接着させる。剥離兼用外装シート３１の折り重ね両側部は、ヒートシール６１などにより密封する。
【００５５】
ここで、剥離兼用外装シート３１は、後述の形態についても同様に、吸収性物品Ｘ１の長手方向長さより長いほか、短くてもよい。すなわち、止着テープ６０の取り付け側と反対側の端縁を、吸収性物品Ｘ１の長手方向端縁の内側に位置させて折り畳むことで、図６と同様の包装形態を採ることができる。また、止着テープ６０に代えて、剥離兼用外装シート３１の折り重ね端縁部分の内面と対向する面とをヒートシール６１することにより密封することもできる。
【００５６】
上記例では、被覆材として剥離兼用外装シート３１を用いているが、被覆材は、吸収性物品本体を被覆する外装シート（請求項に記載の外装材に相当）と、第１粘着部および第２粘着部を共通に被覆する粘着部被覆材とからなるものであってもよい。また、粘着部被覆材は、第１粘着部を被覆する第１粘着部被覆材と第２粘着部を被覆する第２粘着部被覆材とからなるものであってもよい。この場合は、例えば、図７及び図８に示されるように、第１粘着部１０，１０および第２粘着部２０，２０の対向面がシリコン処理などの離型処理された前記第１粘着部被覆材３２Ａ，３２Ａおよび前記第２粘着部被覆材３２Ｂ，３２Ｂでそれぞれ被覆し、それらの離型処理されていない面をホットメルト接着剤３３Ａにより外装シート３４と接着して一体化する。このホットメルト接着材３３Ａによる接着は、外装シート３４と各粘着部被覆材３２Ａ，３２Ａ，３２Ｂ，３２Ｂとの剥離強度を、第１粘着部１０と第１粘着部被覆材３２Ａとの剥離強度ならびに第２粘着部２０と第２粘着部被覆材３２Ｂとの剥離強度よりも大きくして実質的に一体化することとしてもよい。
【００５７】
この例では外装シート３４を持って剥がすときに、各粘着部被覆材３２Ａ，３２Ａ，３２Ｂ，３２Ｂが一体となって粘着部１０，１０，２０，２０から剥がれる。この場合、前記外装シート３４は離型処理する必要がなく、比較的低コストで被覆、包装できる。
【００５８】
『第２の実施の形態（請求項６に関連）』
図９〜１０に示される第２の実施の形態は、本体部Ｂの幅より幅広でかつ前後方向長さより長い剥離兼用外装シート３１がその離型性面を吸収性物品Ｘ１の使用面に対向するようにして配置されて、第１粘着部１０，１０および第２粘着部２０，２０が被覆され、かかる被覆状態において剥離兼用外装シート３１の側部が張り出し部Ｗ，Ｗとともに吸収性物品Ｘ１の裏面側に折り畳まれ、その後に吸収性物品の前後が折り返されて三つ折りとされ、図６に示される形態と同様の包装形態とされる例である。この第２の実施の形態においては、吸収性物品Ｘ１の側部が剥離兼用外装シート３１により被覆されるので、剥離兼用外装シート３１の側部をヒートシールなどによって密封することを省略することも可能である。
【００５９】
また、第２の実施の形態においても、図１１及び図１２に示すように、被覆材を第１粘着部被覆材３２Ａと第２粘着部被覆材３２Ｂと外装シート３４とからなるものとすることができる。粘着部被覆材３２と外装シート３４との接着については第１の実施の形態で述べたのと同様である。第１粘着部と第２粘着部を共通に被覆する粘着部被覆材としてもよい。
【００６０】
さらに、第２の実施の形態においては、張り出し部の裏面側への折り畳みに関して、図１３及び１４に示すように、本体部Ｂの両側が張り出し部Ｗ，Ｗとともに裏面側に折り畳まれていてもよい。このようにするとよりコンパクトに包装できる。この本体部Ｂの側部を折り畳む形態においても、被覆材を外装シートと第１粘着部被覆材と第２粘着部被覆材とからなるものとすることができる。また、第１粘着部と第２粘着部を共通に被覆する粘着部被覆材とすることもできる。
【００６１】
『第３の実施の形態（請求項８〜１３に関連）』
図１５〜１７に示される第３の実施の形態は、張り出し部Ｗ，Ｗを使用面側に折り畳んだ状態で包装する例である。
【００６２】
包装に際しては、図１５に示されるように、吸収性物品Ｘ１の前後端部の第１粘着部１０，１０を吸収性物品本体の長手方向に沿う一枚の第１粘着部被覆材３２Ａで、張り出し部Ｗ，Ｗにある第２粘着部２０，２０を吸収性物品Ｘ１の幅方向に沿う一枚の第２粘着部被覆材３２Ｂで、それぞれシリコン処理等離型処理された面が各粘着部に当接するようにして使用面側から被覆する。第１粘着部被覆材３２Ａと第２粘着部被覆材３２Ｂとの当接面の一部をホットメルト接着剤３３Ｂ等によって接着しておくと、中間の浮き上がりが防止される。
【００６３】
かかる被覆状態において、図１６及び図１７に示すように前記張り出し部Ｗ，Ｗを前記第２粘着被覆材３２Ｂの側部とともに使用面側に折り畳み、さらに、本体部Ｂより幅広で好適には長手方向長さより長い外装シート３４を、各粘着部被覆材３２Ａ，３２Ｂの吸収性物品との対向面と反対面に対向するように配置して、前記本体部Ｂおよび各粘着部被覆材３２Ａ，３２Ｂを被覆する。前記外装シート３４と各粘着部被覆材３２Ａ，３２Ｂとは、それらの当接面の一部または全部において、ホットメルト接着剤等３３Ａにより、接着して一体化するのが望ましい。ホットメルト接着材３３Ａ等による接着は、前記外装シート３４と各粘着部被覆材３２Ａ，３２Ａ，３２Ｂ，３２Ｂとの剥離強度が、各粘着部被覆材３２Ａ，３２Ａ，３２Ｂ，３２Ｂと各粘着部１０，１０，２０，２０との剥離強度より大きくして実質的に一体化することとしてもよい。
【００６４】
かかる被覆形態とされた後に第１の実施の形態と同様に三つ折りとされ、図６に示される形態と同様な包装形態とされる。
【００６５】
ここで、上記の図１５〜図１７に示される例では第１粘着部１０，１０を第１粘着部被覆材３２Ａで、第２粘着部２０，２０を第２粘着部被覆材３２Ｂで被覆しているが、図１８及び図１９に示されるように、第１粘着部１０，１０と第２粘着部２０，２０とを共通に被覆する粘着部被覆材３２とすることもできる。
【００６６】
また、前記張り出し部Ｗ，Ｗが使用面側に折り畳まれたさいに第２粘着部２０が離型処理された面に当接するように第２粘着部被覆材３２Ｂを設けてもよい。この例は具体的には、図２０および２１に示されるように、第１粘着部被覆材３２Ａの外側において、ほぼ本体部Ｂの幅と同じ幅の第２粘着部被覆材３２Ｂを、その離型処理された面が外方に向かうようにして左右の張り出し部Ｗ，Ｗの間に配置する。この場合には使用する第２粘着部被覆材の面積を小さくすることができ経済的である。この場合においても上記例と同様に第１粘着部被覆材３２Ａと第２粘着部被覆材３２Ｂとの当接面の一部または全部をもホットメルト接着剤３３Ｂ等によって接着しておくと中間の浮き上がりが防止される。
【００６７】
『第４の実施の形態（請求項１４〜１９に関連）』
図２２〜２５に示す第４の実施の形態は、張り出し部Ｗ，Ｗを裏面側に折り畳んだ状態で、吸収性物品Ｘ１の包装を行う形態である。包装に際しては、図２２に示されるように、張り出し部Ｗ，Ｗを裏面側に折り畳んだ状態で、本体部の裏面側に第２粘着部２０を被覆する第２粘着部被覆材３２Ｂが配置され、使用面側に第１粘着部１０と本体部を被覆する一方の面が離型処理された剥離兼用外装シート３１’が配置され、第２粘着部２０、第１粘着部１０および本体部が被覆される。かかる被覆状態で、吸収性物品の前後を前記剥離兼用外装シート３１’とともに折り返して三つ折りにし、図６のような包装形態をとる。第３の実施の形態においては、第１粘着部１０と本体部Ｂとを別々に被覆する形態とすることができる。すなわち、剥離兼用外装シート３１’を第１粘着部被覆材と外装シートとからなるものとすればよい。具体的には、第１粘着部を第１粘着部被覆材によって被覆し、その第１粘着部被覆材の外側に通常の外装シートを配置して本体部を被覆する。この場合には外装シート３４と第１粘着部被覆材３２Ａとを、ホットメルト接着剤等により、前記第１粘着部と第１粘着部被覆材との剥離強度より大きい剥離強度をもって接着するのが望ましい。
【００６８】
また、第３の実施の形態においては、好ましくは、図２３に示すように、三つ折り状態とするにあたって、吸収性物品Ｘ１の前後端部の一方の端部（図示例では後端部）を前記剥離兼用外装シート３１’とともに裏面側に折り返した後に、その折り返し部分における剥離兼用外装シート３１’の端部を、ホットメルト接着剤３３Ｃ等によって、前記第２粘着部被覆材３２Ｂの外面に対して前記第２粘着部被覆材３２Ｂと第２粘着部２０との剥離強度よりも大きい剥離強度をもって接着する。かかる接着状態で吸収性物品の他方の端部を裏面側に折り返して三つ折とする。尚、前記ホットメルト接着剤３３Ｃ等は、吸収性物品Ｘ１を折り返す前に第２粘着部被覆材３２Ｂの外面または剥離兼用外装シート３１’の端部の外面に予め塗布等しておくことができる。この例では剥離兼用外装シート３１’をもって剥がすと、吸収性物品Ｘ１が展開され、同時に第１粘着部１０が露出するとともに第２粘着部被覆材３２Ｂも第２粘着部２０から剥がれ第２粘着部２０も露出する。もちろん、この形態においても図２４に示すように、剥離兼用外装シート３１’ではなく第１粘着部被覆材３２Ａと外装シート３４とによって被覆することも可能である。
【００６９】
さらに、第３の実施の形態においては、図２５に示すように、吸収性物品Ｘ１を前後に折り畳んだ包装形態とするにあたって、前記吸収性物品Ｘ１の前後端部の一方の端部（（図示例では後端部）を剥離兼用外装シート３１’とともに裏面側に折り返した後、この折り返した部分の外面が前記第２粘着部被覆材３２Ｂに当接するようにさらに折り畳む。このとき折り畳まれた部分の外面と前記第２粘着部被覆材３２Ｂの当接部分の一部または全部をホットメルト接着剤３３Ｃ等により接着する。ホットメルト接着剤３３Ｃによる接着は、前記第２粘着部被覆材３２Ｂと第２粘着部２０との剥離強度よりも大きい剥離強度となるようにする。その後に吸収性物品Ｘ１の他方の端部を裏面側に折り返す。この例では、四つ折り形態となるのでさらにコンパクトにでき、特に大型の吸収性物品に対して効果的な包装形態である。この例においてもホットメルト接着剤３３Ｃを予め第２粘着部被覆材３２Ｂの外面等に塗布しておくことが可能である。
【００７０】
『その他の形態』
上記例において、第１粘着部１０の形成形態は、代表的に図１に示すように、吸収性物品Ｘ１の前後において幅方向に沿う一列を形成する態様のほか、図２６に示す形態などを採用できる。すなわち、図２６の（Ａ）は、幅方向に間隔をおいて、前後方向に沿う第１粘着部１０，１０…を形成した例であり、その第１粘着部１０群は吸収性物品Ｘ１の端縁とほぼ平行な円弧状をなしている。図２６の（Ｂ）は、三角の角位置に幅方向に沿う形態で第１粘着部１０，１０…を形成した例であり、図２６の（Ｃ）は前後方向に間隔をおいて幅方向に沿う形態で前後方向中央ほど幅が長い第１粘着部１０，１０…を形成した例であり、図２６の（Ｄ）は、幅方向に間隔をおいて、前後方向に沿う第１粘着部１０，１０…を形成した例であり、幅方向中央に向かうほぼ前後方向長さを長くし、かつ、幅方向中央側の端部の位置を揃えた例である。このほか、単一の粘着部の形状自体及び配置形態は適宜選択できる。図２６に示すように、一方の端部側において複数の粘着部を形成する場合において、使用後において肌から吸収性物品Ｘ１を剥離するときに、（Ｂ）及び（Ｃ）の態様では、不連続的な剥離感覚により痛みを感じ易いが、（Ａ）及び（Ｄ）の態様では連続的な剥離感覚となり、痛みが少ないので望ましい。
【００７１】
なお、図２６に示される例は、前後方向端部にある第１粘着部１０の形成形態例であるが、もちろん吸収性物品本体の側部の第２粘着部２０も、種々の形成形態を採用することができる。
【００７２】
さらに、上記例ではほぼ線状に第１粘着部１０を形成したものであるが、ドット状（点状）などをもって粘着部を形成することもできる。また、第１粘着部１０は、使用面に直接形成したものであるが、必要ならば、その形成部位において、使用面に基材シートを固定し、その基材シート上に第１粘着部１０及び第２粘着部２０を形成することもできる。なお、上記例の第１粘着部１０及び第２粘着部２０は、層として形成するものであるが、その部位が肌に対して粘着性を示す限り、層状に形成することに限定されない。また、使用面の前後に第１粘着部１０，１０及び両側部に第２粘着部２０、２０をもった吸収性物品をも提供できる。
【００７３】
『吸収性物品の他の例およびその包装形態』
上記例に示される吸収性物品Ｘ１は、第１粘着部が本体部の前後部に設けられているものであるが、本発明においては、例えば、図２７に示されるような第１粘着部が本体部の両側部に設けられている吸収性物品Ｘ２であってもよく、この吸収性物品Ｘ２に対しても上述の各実施の形態に示される包装形態を全く同様に適用することができる。
【００７４】
さらに、本発明においては、図２８に示されるように、本体部の中央部の張り出し部Ｗ，Ｗの他に、本体部Ｂの後ろより位置に臀部側張り出し部ＷB，ＷBを有する吸収性物品Ｘ３に対しても全く同様に適用することが可能である。もちろん臀部側張り出し部ＷBの使用面側に粘着部２０Bが配されていても同様に適用できる。臀部側張り出し部に設けられた粘着部を第１粘着部として扱うか、第２粘着部として扱うかは、臀部側張り出し部の張り出し具合に応じて適宜選択すればよい。
【００７５】
吸収性物品Ｘ３の包装形態の具体例を示せば、上記第３の実施の形態の変形として図２９に示すような包装形態をとることができる。この例では、包装に際して、臀部側張り出し部ＷBの粘着部を臀部側第２粘着部２０Bとし、張り出し部Ｗおよび臀部側張り出し部ＷBを裏面側に折り畳んだ状態で、裏面側に各粘着部２０，２０Bを被覆する第２粘着部被覆材３２Ｂおよび臀部側第２粘着部被覆材３２Ｂ’を配置し、使用面側に第１粘着部１０および本体部を被覆する一方の面が離型処理された剥離兼用外装シート３１’を離型処理面が第１粘着部１０に対向するようにして配置する。かかる被覆状態において、吸収性物品Ｘ３の臀部側張り出し部ＷBが折り畳まれている部分を、臀部側第２粘着部被覆材３２Ｂ’および剥離兼用外装シート３１’とともに前後方向に裏面側に折り返して、臀部側第２粘着部被覆材３２Ｂ’を第２粘着部被覆材３２Ｂに当接させ、さらにこの当接部分の一部又は前部をホットメルト接着剤３３Ｃ等によって接着する。このホットメルト接着剤３３Ｃ等による接着は、第２粘着部２０と第２粘着部被覆材３２Ｂとの剥離強度および臀部側第２粘着部２０Bと臀部側第２粘着部被覆材３２Ｂ’との剥離強度よりも大きい剥離強度となるようにする。その後に他方の端部を折り返して三つ折り形態とする。
【００７６】
【発明の効果】
以上のとおり、本発明によれば、経血の吸収性が阻害されることを解消するとともに、肌に対して十分な粘着剤による接着性が発揮し、ズレを防止できる吸収性物品を得ることができる。さらに、前記吸収性物品を好適に包装できる。
【手続補正２】
【補正対象書類名】明細書
【補正対象項目名】図面の簡単な説明
【補正方法】変更
【補正の内容】
【図面の簡単な説明】
【図１】
本発明にかかる吸収性物品Ｘ１の一部破断展開図である。
【図２】
そのII−II線矢視図である。
【図３】
包装を解いて展開した状態の裏面側からの視図である。
【図４】
そのIV −IV線矢視図である。
【図５】
包装過程の概略斜視図である。
【図６】
包装状態の概略斜視図である。
【図７】
第１の実施の形態の他の例を示す吸収性物品の展開図である。
【図８】
そのVIII−VIII線矢視図である。
【図９】
第２の実施の形態を示す、包装を解いて展開した状態の裏面側からの視図である。
【図１０】
そのX−X線矢視図である。
【図１１】
第２の実施の形態の他の例を示す、包装を解いて展開した状態の裏面側からの視図である。
【図１２】
そのXII−XII線矢視図である。
【図１３】
第２の実施の形態の別の例を示す、包装を解いて展開した状態の裏面側からの視図である。
【図１４】
そのXIV−XIV線矢視図である。
【図１５】
第３の実施の形態を示す、剥離シートで粘着部を被覆した状態での吸収性物品の展開状態を示す平面図である。
【図１６】
第３の実施の形態を示す、包装を解いて展開した状態の使用面側からの視図である。
【図１７】
そのXVII−XVII線矢視図である。
【図１８】
第３の実施の形態の他の例を示す、剥離シートで粘着部を被覆した状態での吸収性物品の展開状態を示す平面図である。
【図１９】
その包装形態における張り出し部が存在する部分の断面を示す図である。
【図２０】
第３の実施の形態の別の例を示す、剥離シートで粘着部を被覆した状態での吸収性物品の展開状態を示す平面図である。
【図２１】
その包装形態における張り出し部が存在する部分の断面を示す図である。
【図２２】
第４の実施の形態の第１の例を示す側面図である。
【図２３】
第４の実施の形態の第２の例を示す側面図である。
【図２４】
第４の実施の形態の第３の例を示す側面図である。
【図２５】
第４の実施の形態の第４の例を示す側面図である。
【図２６】
第１粘着部の各種配置形態説明図である。
【図２７】
本発明に係る他の吸収性物品Ｘ２の展開図である。
【図２８】
本発明に係る臀部側張り出し部を備える吸収性物品Ｘ３の展開図である。
【図２９】
吸収性物品Ｘ３の包装例を示す側面図である。
【符号の説明】
１…表面シート、２…裏面シート、３…第１シート、４…第２シート、５…第３シート、６…第４シート、１０…第１粘着部、２０…第２粘着部、３１，３１’…剥離兼用外装シート、３２…粘着部被覆材、３２Ａ…第１粘着部被覆材、３２Ｂ…第２粘着部被覆材、３３Ａ〜３３Ｃ…ホットメルト接着剤、３４…外装シート、４０…仮止め接着剤、６０…止着テープ、６０ａ…粘着剤層、６１…ヒートシール、Ｘ１，Ｘ２，Ｘ３…吸収性物品、ｅ…エンボス。
【手続補正３】
【補正対象書類名】図面
【補正対象項目名】図２９
【補正方法】変更
【補正の内容】
【図２９】
2003116919.tif 000001